(57)【要約】      （修正有）【課題】直腸末端及び肛門の内側に残った排泄物を洗い落とすことで、直腸末端及び肛門内外を完全に洗浄することができる洗浄用ノズルを提供すること。【解決手段】洗浄液を供給し、直腸末端及び肛門を洗浄するための洗浄用ノズル２について、一端２２１ａ及び他端２２１ｂがそれぞれ開口し、その一端の開口と、他端の開口とを結ぶ洗浄水導通用の導液通路２２１を内部に有するとともに、その外面において、前記一端から他端まで延びる複数の導液溝２２２が形成された管状の第一部２２と、前記一端の開口を覆う第二部２３とから構成し、さらに、前記導液通路を介して、前記他端の開口から前記一端の開口に到達した洗浄液が、前記第二部を介して前記導液溝を流れるように構成した。【選択図】図２
0003102311.tif 000002
【実用新案登録請求の範囲】
【請求項１】
洗浄液を供給し、直腸末端及び肛門を洗浄するための洗浄用ノズルであって、
一端及び他端がそれぞれ開口し、その一端の開口と、他端の開口とを結ぶ洗浄水導通用の導液通路を内部に有するとともに、その外面において、前記一端から他端まで延びる複数の導液溝が形成された管状の第一部と、
前記一端の開口を覆う第二部とを備えており、
前記導液通路を介して前記他端の開口から前記一端の開口に到達した洗浄液が、前記第二部を介して前記導液溝を流れるように構成されていることを特徴とする洗浄用ノズル。
【請求項２】
前記第二部は、断面円形に形成され、前記第一部の上端上方に空隙部を形成するように前記上端に被せられるキャップ状部材であって、前記導液通路と導液溝とが前記空隙部を介して連通することを特徴とする請求項１に記載の洗浄用ノズル。
【請求項３】
前記第一部は、他端から一端へ行くにつれてその径が縮小する縮径部分と、これと連続する細径部分とを備えており、前記縮径部分の表面に噴水口が形成されている請求項１または２に記載の洗浄用ノズル。
【請求項４】
内部に空洞部が形成され、前記空洞部を形成する内周面において外部の洗浄液供給装置と連結可能な連結手段を有する第三部をさらに備えており、
前記第三部は、前記導液通路及び噴水口が前記空洞部に連通するように第一部の他端に取り付けられていることを特徴とする請求項３に記載の洗浄用ノズル。
【考案の詳細な説明】
【技術分野】
【０００１】
本考案は、洗浄液を供給し、直腸末端及び肛門を洗浄するための洗浄用ノズルに関する。
【背景技術】
【０００２】
近年、便器のボウル内面後方に洗浄ノズルが設置され、使用者の臀部を洗浄できる水洗式便器が知られている。このような水洗式便器は、図１に示すように、洗浄ノズル１１１付きの臀部洗浄装置１１と、操作装置１２とを備えている。使用者は、排泄後に操作装置１２を操作して、臀部洗浄装置１１の洗浄ノズル１１１を、ボウル１３の内面１３ａからボウルによって囲まれる空間１３０に移動させ、使用者の臀部及び肛門のあたりに洗浄水を噴射して洗浄する。
【考案の開示】
【考案が解決しようとする課題】
【０００３】
しかしながら、このような臀部洗浄装置１１は、肛門の外部のみを洗浄できるにすぎず、直腸末端及び肛門の内側に残った排泄物を洗い落とすことができなかった。そのため、肛門を完全に洗浄することができないという欠点がある。
【０００４】
本考案の目的は、上記に鑑みて、直腸末端及び肛門の内側に残った排泄物を洗い落とし、直腸末端及び肛門内外を徹底的に洗浄することができる洗浄用ノズルを提供することである。
【課題を解決するための手段】
【０００５】
前記目的を達成するために、本考案は、洗浄液を供給し、直腸末端及び肛門を洗浄するための洗浄用ノズルであって、一端及び他端がそれぞれ開口し、その一端の開口と、他端の開口とを結ぶ洗浄水導通用の導液通路を内部に有するとともに、その外面において、前記一端から他端まで延びる複数の導液溝が形成された管状の第一部と、前記一端の開口を覆う第二部とを備えており、前記導液通路を介して前記他端の開口から前記一端の開口に到達した洗浄液が、前記第二部を介して前記導液溝を流れるように構成されていることを特徴とする洗浄用ノズルを提供する。
【０００６】
また本考案はさらに、前記第二部が断面円形に形成され、前記第一部の上端上方に空隙部を形成するように前記上端に被せられるキャップ状部材であって、前記導液通路と導液溝とが前記空隙部を介して連通することを特徴とする洗浄用ノズルをも提供する。
【０００７】
また本考案はさらに、前記第一部が、他端から一端へ行くにつれてその径が縮小する縮径部分と、これと連続する細径部分とを備えており、前記縮径部分の表面に噴水口が形成されている洗浄用ノズルをも提供する。
【０００８】
また本考案はさらに、内部に空洞部が形成され、前記空洞部を形成する内周面において外部の洗浄液供給装置と連結可能な連結手段を有する第三部をさらに備えており、前記第三部が、前記導液通路及び噴水口が前記空洞部に連通するように第一部の他端に取り付けられていることを特徴とする洗浄用ノズルをも提供する。
【考案の効果】
【０００９】
このような洗浄用ノズルによれば、導液通路を介して他端の開口から前記一端の開口に到達した洗浄液が、第二部を介して導液溝を流れるように構成されているため、この洗浄用ノズルを肛門外から直腸末端にまで挿入し、洗浄液供給装置によって洗浄液を注入することで、直腸末端及び肛門の内側に残った排泄物を、前記導液溝に沿って逆流する洗浄液により洗い落とすことができる。
【００１０】
また、請求項３によれば、上記構成に加えて、第一部が他端から一端へ行くにつれてその径が縮小する縮径部分を備え、この縮径部分の表面に噴水口を有するため、この噴水口から噴射される洗浄液により肛門の外部をも洗浄することができる。したがって、肛門内外を確実に洗浄することが可能になる。
【考案を実施するための最良の形態】
【００１１】
以下、本考案の好ましい実施形態を詳しく説明する。なお、以下の説明においては、その大きさに拘わらず、略同一の機能及び構成を有する構成要素については、同一符号を付し、重複説明は必要な場合にのみ行う。
【００１２】
まず、図２を参照しながら本考案の洗浄用ノズル２の第１の実施形態を説明する。この洗浄用ノズル２は、その全体において各横断面が円形であり、下部（第三部）２１，中部（第一部）２２、上部（第二部）２３の３部を有し、これらが図中における上下方向に延びるように構成されている。
【００１３】
中部２２は、その外形が、下から上へ行くにつれてその径が徐々に縮小する縮径部分２２ａと、この縮径部分２２ａの上端に連続かつ一体的に形成された同一径を有する細径部分２２ｂとから構成されている。また、中部２２は、その上端及び下端がそれぞれ開口し、上下方向に延びる導液通路２２１を内部に備えている。そして、上端開口部２２１ａは洗浄液の出口をなし、下端開口部２２１ｂは洗浄液の入口となっている。
【００１４】
また、この中部２２の外面には、上下方向に延び、洗浄液を上から下へと流通させるための複数の導液溝２２２が形成されており、且つ、細径部分２２ｂと縮径部分２２ａとの境界付近から、縮径部分２２ａの下端までの区間に、複数の噴水口２２３が形成されている。
【００１５】
上部２３は、丸みを有する上端部２３１と、この上端部２３１と円滑に連続し、中部２２の上端近くの外周に被さる下端部２３２とで構成されており、中部２２の上端上方に空隙部２３ａを形成するような、キャップ状の形状を有している。中部２２の上端開口部２２１ａと導液溝２２２とは、空隙部２３ａを介して連通しており、上端開口部２２１ａから流出される洗浄液は、空隙部２３ａを介して導液溝２２２へ導かれるようになっている。
【００１６】
下部２１は、中部２２の縮径部分２２ａの下端から下へ同径に延びてなる筒体であって、内部に空洞部２１ａが形成されている。この空洞部２１ａを形成する内周面においては、後述する洗浄液を供給するスロットル装置３１（図示せず）と連結する連結手段としての雌ねじ部２１１が形成されている。また、空洞部２１ａは、中部２２に設けられた導液通路２２１及び噴水口２２３に連通している。
【００１７】
なお、中部２２を構成する細径部分２２ｂは、必ずしも同一径に形成される必要はなく、上方向に向かって細くなるような形状であってもよい。また、第三部をスロットル装置と連結する連結手段は、螺合によるものに限られず、嵌合手段等の一般的な連結構造を用いることができる。
【００１８】
次に、図３及び図４を参照しながら洗浄用ノズル２を主要部材として装着してなる洗浄装置３全体及びその細部構造を説明する。この洗浄装置３は、前述のような洗浄用ノズル２と、洗浄用ノズル２に洗浄液を供給するためのスロットル装置３１とを備えている。より詳細には、図３に示すように、洗浄液供給装置としてのスロットル装置３１は、洗浄液を収納するタンク３１０と、一端がこのタンク３１０の第二部に接続され、他端が制御弁３３の入口に接続されている第１供給導管３２２と、一端が制御弁３３に接続され、その他端が洗浄用ノズル２の下部２１に接続している第２供給導管３２１とを備えている。
【００１９】
タンク３１０は、図４に示すように、その上下両端にそれぞれ出口３１２及び入口３１１を有する直立状の円筒体３１０ａを備え、この円筒体３１０ａの内部には、洗浄液よりも比重の大きいフロート３１３が収容されている。出口３１２は、タンク３１０内部の洗浄液を制御弁３３に向けて排出するように、第１供給導管３２２に接続されている。
【００２０】
制御弁３３は通常閉じられた手動の開閉弁であって、図中における押しボタン３３１を使用者が押圧操作することによって、タンク３１０中の洗浄液を洗浄用ノズル２への供給することができる。より詳細には、押しボタン３３１が押圧されると、洗浄液が、図示しない洗浄液供給源からの圧送により、タンク３１０の第三部にある入口３１１から流入し、フロート３１３を押し上げ、既にスロットル装置３１内に貯留している定量の洗浄液を押し出す。
【００２１】
一方、押しボタン３３１が開放されると、制御弁３３が閉じられて洗浄液の供給が停止するため、洗浄用ノズル２への洗浄液の供給が停止し、洗浄液はスロットル装置３１内に貯留する。この時、フロート３１３はその自重によって下へ沈み、タンク３１０の入口３１１を塞ぎ、洗浄液をタンク３１０内部に貯留させることができる。
【００２２】
次に、本実施形態の操作過程について説明する。使用者は排泄した後、図５に示すように、洗浄用ノズル２を肛門４から直腸末端５に挿入する。使用者は、この状態で押しボタン３３１を押し、制御弁３３を開放してタンク３１０からの洗浄液を洗浄用ノズル２へと供給する。
【００２３】
洗浄用ノズル２へと供給された洗浄液の一部は、導液通路２２１に沿って上方に流れ、上部２３の内部に形成された空隙部２３ａを介して、導液溝２２２に流入し、この導液溝２２２に沿って中部２２の表面を流れる。これによって、肛門４または直腸末端５の内部に残留する排泄物を外部へ洗い落とすことができる。さらに、洗浄用ノズル２へと供給された残りの洗浄液は、噴出口２２３から肛門４の外部に吹き付けられることで肛門４の外部周辺を洗浄する。このように、本考案の洗浄用ノズル２を用いることで、肛門内外を確実に洗浄することができる。
【００２４】
以上の構造を有する洗浄用ノズルによれば、肛門内外を確実に洗浄することができる他、水圧を強めて洗浄液を肛門から直腸に注入する浣腸など医療用途に使用することもできる。
【００２５】
以上説明した実施形態は、あくまでも本考案の技術的内容を明らかにする意図においてなされたものであり、本考案はそうした具体例に限定して狭義に解釈されるものではない。すなわち、本考案の精神と請求項に述べられた範囲で、用途に応じて変更して実施できるものである。
【図面の簡単な説明】
【００２６】
【図１】従来の水洗式便器及びそれに使用されている洗浄装置を示す斜視図である。
【図２】本考案の洗浄用ノズルの実施形態を示す断面構成図である。
【図３】本考案の洗浄用ノズルを使用した洗浄装置の実施形態を示す斜視図である。
【図４】図３におけるスロットル装置の構成を示す断面図である。
【図５】本考案の洗浄用ノズルの使用状態説明図である。
【符号の説明】
【００２７】
１１    洗浄装置
１１１  洗浄ノズル
１２    操作装置
１３    ボウル
２      洗浄用ノズル
２１    下部（第三部）
２２    中部（第一部）
２２１  導液通路
２２２  導液溝
２２３  噴水口
２３    上部（第二部）
２３１  上端部
２３２  下端部
３      洗浄装置
３１    スロットル装置（洗浄液供給装置）
３１０  タンク
３１１  入口
３１２  出口
３１３  フロート
３３    制御弁
４      肛門
５      直腸末端
【図１】
0003102311.tif 000003
【図２】
0003102311.tif 000004
【図３】
0003102311.tif 000005
【図４】
0003102311.tif 000006
【図５】
0003102311.tif 000007